(57)【要約】【課題】ＨｅｔＮｅｔなどにおいて干渉の状況に応じてＯＬＬＡを適切に動作させることができる通信制御装置、通信制御方法および通信制御プログラムを提供する。【解決手段】通信制御装置（一例として、基地局１の機能）は、移動局からの信号に基づいて干渉電力の分散または標準偏差を測定する干渉測定部１５と、前記移動局からの信号を復調して誤りが非検出であった場合にはＡＣＫを出力する一方で誤りが検出された場合にはＮＡＣＫを出力する復調部１６と、前記干渉測定部１５により測定される前記干渉電力の分散または標準偏差と、前記復調部１６から出力される前記ＡＣＫまたはＮＡＣＫに基づいて、ＳＩＮＲのオフセット値を算出するＳＩＮＲオフセット算出部１７と、少なくとも前記ＳＩＮＲオフセット算出部１７により算出されるＳＩＮＲのオフセット値に基づいて、ＭＣＳを決定するＭＣＳ決定部１８と、を備えることを特徴とする。【選択図】図１
2013201575.tif 000002
【特許請求の範囲】
【請求項１】
移動局からの信号に基づいて干渉電力の分散または標準偏差を測定する干渉測定部と、
前記移動局からの信号を復調して誤りが非検出であった場合にはＡＣＫを出力する一方で誤りが検出された場合にはＮＡＣＫを出力する復調部と、
前記干渉測定部により測定される前記干渉電力の分散または標準偏差と、前記復調部から出力される前記ＡＣＫまたはＮＡＣＫに基づいて、ＳＩＮＲのオフセット値を算出するＳＩＮＲオフセット算出部と、
少なくとも前記ＳＩＮＲオフセット算出部により算出されるＳＩＮＲのオフセット値に基づいて、ＭＣＳを決定するＭＣＳ決定部と、
を備えることを特徴とする通信制御装置。
【請求項２】
さらに、前記移動局からの信号に基づいてチャネルを測定するとともに信号電力を測定するチャネル測定部と、
前記チャネル測定部により測定されたチャネルの情報に基づいてリソースの割り当てを行うスケジューリング部と、を備え、
前記干渉測定部は、前記移動局からの信号に基づいて、平均干渉電力を測定するとともに、前記干渉電力の分散または標準偏差を測定し、
前記ＭＣＳ決定部は、前記チャネル測定部により測定される前記信号電力と、前記干渉測定部により測定される前記平均干渉電力と、前記ＳＩＮＲオフセット算出部により算出されるＳＩＮＲのオフセット値に基づいて、ＭＣＳを決定する、
ことを特徴とする請求項１に記載の通信制御装置。
【請求項３】
前記ＳＩＮＲオフセット算出部は、前記復調部からＡＣＫが出力されるときに、前記干渉測定部により測定される前記干渉電力の分散または標準偏差が大きい場合には大きいＳＩＮＲのオフセット値を算出する一方、当該干渉電力の分散または標準偏差が小さい場合には小さいＳＩＮＲのオフセット値を算出し、
前記ＳＩＮＲオフセット算出部は、前記復調部からＮＡＣＫが出力されるときに、前記干渉測定部により測定される前記干渉電力の分散または標準偏差が大きい場合には小さいＳＩＮＲのオフセット値を算出する一方、当該干渉電力の分散または標準偏差が小さい場合には大きいＳＩＮＲのオフセット値を算出する、
ことを特徴とする請求項１または請求項２に記載の通信制御装置。
【請求項４】
前記ＳＩＮＲオフセット算出部は、前記干渉測定部により測定される前記干渉電力の分散または標準偏差をパラメータとして含み、当該干渉電力の分散または標準偏差が大きいほどステップサイズの項の絶対値が大きくなる式を用いて、ＳＩＮＲのオフセット値を算出する、
ことを特徴とする請求項１から請求項３のいずれか１項に記載の通信制御装置。
【請求項５】
前記ＳＩＮＲオフセット算出部は、前記干渉測定部により測定される前記干渉電力の分散または標準偏差があらかじめ定められた閾値より大きいときの方が当該閾値以下であるときよりもステップサイズの絶対値が大きくなるように当該ステップサイズを設定し、当該ステップサイズをパラメータとして含む式を用いて、ＳＩＮＲのオフセット値を算出する、
ことを特徴とする請求項１から請求項３のいずれか１項に記載の通信制御装置。
【請求項６】
干渉測定部が、移動局からの信号に基づいて干渉電力の分散または標準偏差を測定し、
復調部が、前記移動局からの信号を復調して誤りが非検出であった場合にはＡＣＫを出力する一方で誤りが検出された場合にはＮＡＣＫを出力し、
ＳＩＮＲオフセット算出部が、前記干渉測定部により測定される前記干渉電力の分散または標準偏差と、前記復調部から出力される前記ＡＣＫまたはＮＡＣＫに基づいて、ＳＩＮＲのオフセット値を算出し、
ＭＣＳ決定部が、少なくとも前記ＳＩＮＲオフセット算出部により算出されるＳＩＮＲのオフセット値に基づいて、ＭＣＳを決定する、
ことを特徴とする通信制御方法。
【請求項７】
干渉測定部が、移動局からの信号に基づいて干渉電力の分散または標準偏差を測定するステップと、
復調部が、前記移動局からの信号を復調して誤りが非検出であった場合にはＡＣＫを出力する一方で誤りが検出された場合にはＮＡＣＫを出力するステップと、
ＳＩＮＲオフセット算出部が、前記干渉測定部により測定される前記干渉電力の分散または標準偏差と、前記復調部から出力される前記ＡＣＫまたはＮＡＣＫに基づいて、ＳＩＮＲのオフセット値を算出するステップと、
ＭＣＳ決定部が、少なくとも前記ＳＩＮＲオフセット算出部により算出されるＳＩＮＲのオフセット値に基づいて、ＭＣＳを決定するステップと、
をコンピュータに実行させるための通信制御プログラム。
【発明の詳細な説明】
【技術分野】
【０００１】
本発明は、通信制御装置、通信制御方法および通信制御プログラムに関する。
【背景技術】
【０００２】
従来、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で検討されている標準規格の１つとしてＬＴＥ（Ｌｏｎｇ  Ｔｅｒｍ  Ｅｖｏｌｕｔｉｏｎ）が知られている。ＬＴＥは順次改訂されている。
ＬＴＥでは、セルスループットの向上の画策として、広いカバレッジを持つ基地局（基地局装置）であるマクロ基地局のエリア内に狭いカバレッジを持つ基地局であるピコ基地局を１つ以上配置するヘテロジーニアスネットワーク（ＨｅｔＮｅｔ：Ｈｅｔｅｒｏｇｅｎｅｏｕｓ  Ｎｅｔｗｏｒｋ）の導入を検討・仕様化している。
【０００３】
図２は、ＨｅｔＮｅｔを適用した移動無線通信システムの概略的な構成を示すブロック図である。
この例に係る移動無線通信システムは、マクロ基地局１０１と、ピコ基地局１１１、１１２と、移動局（移動局装置）１２１〜１２３と、を備える。
また、図２には、マクロ基地局１０１の通信エリア２０１と、ピコ基地局１１１の通信エリア２１１と、ピコ基地局１１２の通信エリア２１２を示してある。
【０００４】
ここで、図２の例では、マクロ基地局１０１の通信エリア２０１の内に、２個のピコ基地局１１１、１１２が備えられており、これら２個のピコ基地局１１１、１１２の通信エリア２１１、２１２が含まれている。
また、図２の例では、マクロ基地局１０１の通信エリア２０１の内に、複数（図２の例では、３個）の移動局１２１〜１２３が存在している。そして、移動局１２１はマクロ基地局１０１との間で無線通信を行い、移動局１２２はピコ基地局１１１の通信エリア２１１の内に存在して当該ピコ基地局１１１との間で無線通信を行い、移動局１２３はピコ基地局１１２の通信エリア２１２の内に存在して当該ピコ基地局１１２との間で無線通信を行う。
【０００５】
ここで、移動局１２１〜１２３から基地局（マクロ基地局１０１、ピコ基地局１１１、１１２）への方向のリンクが上りリンクであり、基地局（マクロ基地局１０１、ピコ基地局１１１、１１２）から移動局１２１〜１２３への方向のリンクが下りリンクである。
【０００６】
ＨｅｔＮｅｔの上りリンクにおいて、ピコ基地局とマクロ基地局が同一の周波数を利用する場合、ピコ基地局１１１、１１２は、マクロ基地局１０１と通信する移動局１２１が送信する信号から強い干渉を受ける、といった問題点がある。特に、ピコ基地局１１１、１１２で観測される干渉電力については、その分散が大きくなり、チャネルの状況に合わせた変調方式・符号化率（ＭＣＳ：Ｍｏｄｕｌａｔｉｏｎ  ａｎｄ  Ｃｏｄｉｎｇ  Ｓｃｈｅｍｅ）の選択が困難になるといった問題がある。
【０００７】
このようなＭＣＳを最適に指定することができないという問題を解決する手法として、例えば、非特許文献１に記載されるように、ＯＬＬＡ（Ｏｕｔｅｒ  Ｌｏｏｐ  Ｌｉｎｋ  Ａｄａｐｔａｔｉｏｎ）を利用することが有効である（例えば、非特許文献１参照。）。
通常のＭＣＳの決定プロセスにおいて、基地局は、移動局に割り当てた周波数・時間領域のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を計算し、ターゲットとするＢＬＥＲ（Ｂｌｏｃｋ  Ｅｒｒｏｒ  Ｒａｔｅ）を満たすＭＣＳを選択する。
ここで、基地局が移動局に割り当てる周波数・時間領域の割り当ての単位をＲＢ（Ｒｅｓｏｕｒｃｅ  Ｂｌｏｃｋ）と呼称する。
【０００８】
ＯＬＬＡは、移動局の過去の信号送信の可否（ＡＣＫ／ＮＡＣＫ）に応じて算出されるオフセット値をＳＩＮＲに加算して、ＭＣＳを算出する技術である。
具体的には、ＡＣＫが頻繁に発生するようなケースであれば、正のオフセット値を算出されるＳＩＮＲに加算することにより、高いＭＣＳを選択するように動作し、逆に、ＮＡＣＫが頻繁に発生するようなケースであれば、負のオフセット値を算出されるＳＩＮＲに加算することにより、低いＭＣＳを選択するように動作する
具体的な動作の例として、式（１−１）および式（１−２）で表される処理を行う。
【０００９】
【数１】
2013201575.tif 000003
【００１０】
式（１−１）および式（１−２）では、ＡＣＫである場合には式（１−１）に示される演算が行われ、ＮＡＣＫである場合には式（１−２）に示される演算が行われる。
ここで、式（１−１）および式（１−２）では、左辺のＳＩＮＲｏｆｆｓｅｔは演算後（変更後）の値を表し、右辺のＳＩＮＲｏｆｆｓｅｔは演算前（変更前）の現在における値を表す。
【００１１】
式（１−１）および式（１−２）において、ＳＩＮＲｏｆｆｓｅｔはＭＣＳを選択する際に利用するＳＩＮＲを求めるために使用するオフセット値である。そして、測定されたＳＩＮＲであるＳＩＮＲｍｅａｓｕｒｅｄとＳＩＮＲｏｆｆｓｅｔとを加算した結果（ＳＩＮＲｍｅａｓｕｒｅｄ＋ＳＩＮＲｏｆｆｓｅｔ）の値を利用してＭＣＳを決定する。
また、式（１−１）および式（１−２）において、ＳｔｅｐＳｉｚｅはＯＬＬＡのパラメータであり、ＢＬＥＲｔａｒｇｅｔはターゲットとするＢＬＥＲである。
また、式（１−１）において、「＊」は乗算を表す。
【００１２】
ここで、比較的には、ＳｔｅｐＳｉｚｅを大きい値に設定すると、推定されるＳＩＮＲの誤差レベルが急峻に変動する場合に追従し易くなる一方、ＳｔｅｐＳｉｚｅを小さい値に設定すると、推定されるＳＩＮＲの誤差レベルが固定的である場合に正しくＭＣＳを設定することができる。
【先行技術文献】
【非特許文献】
【００１３】
【非特許文献１】Ａ．Ｐｏｋｈａｒｉｙａｌ，Ｋ．Ｉ．Ｐｅｄｅｒｓｅｎ，Ｇ．Ｍｏｎｇｈａｌ，Ｉ．Ｚ．Ｋｏｖａｃｓ，Ｃ．Ｒｏｓａ，Ｔ．Ｅ．Ｋｏｌｄｉｎｇ，ａｎｄ  Ｐ．Ｅ．Ｍｏｇｅｎｓｅｎ，“ＨＡＲＱ  Ａｗａｒｅ  Ｆｒｅｑｕｅｎｃｙ  Ｄｏｍａｉｎ  Ｐａｃｋｅｔ  Ｓｃｈｅｄｕｌｅｒ  ｗｉｔｈ  Ｄｉｆｆｅｒｅｎｔ  Ｄｅｇｒｅｅｓ  ｏｆ  Ｆａｉｒｎｅｓｓ  ｆｏｒ  ｔｈｅ  ＵＴＲＡＮ  Ｌｏｎｇ  Ｔｅｒｍ  Ｅｖｏｌｕｔｉｏｎ”，ｉｎ  Ｐｒｏｃｅｅｄｉｎｇｓ  ｏｆ  ｔｈｅ  ＩＥＥＥ  Ｖｅｈｉｃｕｌａｒ  Ｔｅｃｈｎｏｌｏｇｙ  Ｃｏｎｆｅｒｅｎｃｅ  （ＶＴＣ’Ｓ０７），Ａｐｒｉｌ  ２００７．
【発明の概要】
【発明が解決しようとする課題】
【００１４】
しかしながら、非特許文献１に記載されるようなＯＬＬＡの技術を、ＨｅｔＮｅｔの上りリンクに適用する場合には、幾つかの問題点が存在する。
第１の問題点としては、ＨｅｔＮｅｔの上りリンクにおいて、干渉の大きさが、時間、周波数領域で大きく変動（変更）することである。ＯＬＬＡはある程度の時間をかけて最適なＳＩＮＲのオフセット値に到達するような制御方法であるため、干渉レベルがＲＢ単位で激しく変動するような状況においては、ターゲットとするＢＬＥＲを達成するために不必要に高いオフセット値（つまり低すぎるＭＣＳの値）を選択するように動作する。このため、スループットが低下するという問題が発生する。
【００１５】
第２の問題点としては、干渉の変動は必ずしも一定ではないことである。つまり、ＦＴＰモデルなどのトラフィックを想定する場合、環境となるマクロ基地局の上り通信状況に応じて、干渉電力が安定することもあれば、ＲＢ単位で急激に変化する状況も発生する。
以上のことにより、ＨｅｔＮｅｔの上りリンクにおいては、ＯＬＬＡが適切に動作しない可能性があるという問題があった。
【００１６】
本発明は、このような事情を考慮してなされたもので、ＨｅｔＮｅｔなどにおいて干渉の状況に応じてＯＬＬＡを適切に動作させることができる通信制御装置、通信制御方法および通信制御プログラムを提供することを課題とする。
【課題を解決するための手段】
【００１７】
（１）上記の課題を解決するために、本発明に係る通信制御装置は、移動局からの信号に基づいて干渉電力の分散または標準偏差を測定する干渉測定部と、前記移動局からの信号を復調して誤りが非検出であった場合にはＡＣＫを出力する一方で誤りが検出された場合にはＮＡＣＫを出力する復調部と、前記干渉測定部により測定される前記干渉電力の分散または標準偏差と、前記復調部から出力される前記ＡＣＫまたはＮＡＣＫに基づいて、ＳＩＮＲのオフセット値を算出するＳＩＮＲオフセット算出部と、少なくとも前記ＳＩＮＲオフセット算出部により算出されるＳＩＮＲのオフセット値に基づいて、ＭＣＳを決定するＭＣＳ決定部と、を備えることを特徴とする。
【００１８】
（２）本発明は、上記（１）に記載の通信制御装置において、さらに、前記移動局からの信号に基づいてチャネルを測定するとともに信号電力を測定するチャネル測定部と、前記チャネル測定部により測定されたチャネルの情報に基づいてリソースの割り当てを行うスケジューリング部と、を備え、前記干渉測定部は、前記移動局からの信号に基づいて、平均干渉電力を測定するとともに、前記干渉電力の分散または標準偏差を測定し、前記ＭＣＳ決定部は、前記チャネル測定部により測定される前記信号電力と、前記干渉測定部により測定される前記平均干渉電力と、前記ＳＩＮＲオフセット算出部により算出されるＳＩＮＲのオフセット値に基づいて、ＭＣＳを決定する、ことを特徴とする。
【００１９】
（３）本発明は、上記した（１）または上記した（２）に記載の通信制御装置において、前記ＳＩＮＲオフセット算出部は、前記復調部からＡＣＫが出力されるときに、前記干渉測定部により測定される前記干渉電力の分散または標準偏差が大きい場合には大きいＳＩＮＲのオフセット値を算出する一方、当該干渉電力の分散または標準偏差が小さい場合には小さいＳＩＮＲのオフセット値を算出し、前記ＳＩＮＲオフセット算出部は、前記復調部からＮＡＣＫが出力されるときに、前記干渉測定部により測定される前記干渉電力の分散または標準偏差が大きい場合には小さいＳＩＮＲのオフセット値を算出する一方、当該干渉電力の分散または標準偏差が小さい場合には大きいＳＩＮＲのオフセット値を算出する、ことを特徴とする。
【００２０】
（４）本発明は、上記した（１）から上記した（３）のいずれか１つに記載の通信制御装置において、前記ＳＩＮＲオフセット算出部は、前記干渉測定部により測定される前記干渉電力の分散または標準偏差をパラメータとして含み、当該干渉電力の分散または標準偏差が大きいほどステップサイズの項の絶対値が大きくなる式を用いて、ＳＩＮＲのオフセット値を算出する、ことを特徴とする。
【００２１】
（５）本発明は、上記した（１）から上記した（３）のいずれか１つに記載の通信制御装置において、前記ＳＩＮＲオフセット算出部は、前記干渉測定部により測定される前記干渉電力の分散または標準偏差があらかじめ定められた閾値より大きいときの方が当該閾値以下であるときよりもステップサイズの絶対値が大きくなるように当該ステップサイズを設定し、当該ステップサイズをパラメータとして含む式を用いて、ＳＩＮＲのオフセット値を算出する、ことを特徴とする。
【００２２】
（６）上記の課題を解決するために、本発明に係る通信制御方法は、干渉測定部が、移動局からの信号に基づいて干渉電力の分散または標準偏差を測定し、復調部が、前記移動局からの信号を復調して誤りが非検出であった場合にはＡＣＫを出力する一方で誤りが検出された場合にはＮＡＣＫを出力し、ＳＩＮＲオフセット算出部が、前記干渉測定部により測定される前記干渉電力の分散または標準偏差と、前記復調部から出力される前記ＡＣＫまたはＮＡＣＫに基づいて、ＳＩＮＲのオフセット値を算出し、ＭＣＳ決定部が、少なくとも前記ＳＩＮＲオフセット算出部により算出されるＳＩＮＲのオフセット値に基づいて、ＭＣＳを決定する、ことを特徴とする。
【００２３】
（７）上記の課題を解決するために、本発明に係る通信制御プログラムは、干渉測定部が、移動局からの信号に基づいて干渉電力の分散または標準偏差を測定するステップと、復調部が、前記移動局からの信号を復調して誤りが非検出であった場合にはＡＣＫを出力する一方で誤りが検出された場合にはＮＡＣＫを出力するステップと、ＳＩＮＲオフセット算出部が、前記干渉測定部により測定される前記干渉電力の分散または標準偏差と、前記復調部から出力される前記ＡＣＫまたはＮＡＣＫに基づいて、ＳＩＮＲのオフセット値を算出するステップと、ＭＣＳ決定部が、少なくとも前記ＳＩＮＲオフセット算出部により算出されるＳＩＮＲのオフセット値に基づいて、ＭＣＳを決定するステップと、をコンピュータに実行させるためのプログラムである。
【発明の効果】
【００２４】
本発明によれば、ＨｅｔＮｅｔなどにおいて干渉の状況に応じてＯＬＬＡを適切に動作させることができる。
【図面の簡単な説明】
【００２５】
【図１】本発明の一実施形態に係る基地局装置の概略的な構成を示すブロック図である。
【図２】ＨｅｔＮｅｔを適用した移動無線通信システムの概略的な構成を示すブロック図である。
【発明を実施するための形態】
【００２６】
以下、図面を参照し、本発明の実施形態について説明する。
【００２７】
［第１実施形態］
本実施形態では、図２に示されるようなＨｅｔＮｅｔを適用した移動無線通信システムを想定する。
また、本実施形態では、移動局（ＵＥ）から基地局（ｅＮＢ）への信号を送信する上りリンクを想定し、さらに、アクセススキームとして、周波数領域での割り当てを実施するＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）もしくはＳＣ−ＦＤＭＡ（Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ）を想定する。
【００２８】
図１は、本発明の一実施形態に係る基地局（基地局装置）１の概略的な構成を示すブロック図である。
本実施形態に係る基地局１は、ピコ基地局（例えば、図２に示されるピコ基地局１１１、１１２）に適用されるが、他の基地局（例えば、図２に示されるマクロ基地局１０１）に適用されてもよい。
【００２９】
本実施形態に係る基地局１は、アンテナ１１と、無線受信部１２と、チャネル測定部１３と、スケジューリング部１４と、干渉測定部１５と、復調部１６と、ＳＩＮＲオフセット算出部１７と、ＭＣＳ決定部１８と、制御信号生成部１９と、下りリンク信号生成部２０と、無線送信部２１と、を備える。
【００３０】
本実施形態に係る基地局１において行われる動作の例を示す。
移動局から無線により送信される上りリンクの信号が、アンテナ１１で受信されて、無線受信部１２に入力される。
無線受信部１２は、アンテナ１１から入力される信号（受信信号）について、ダウンコンバート、ＦＦＴ（Ｆａｓｔ  Ｆｏｕｒｉｅｒ  Ｔｒａｎｓｆｏｒｍ）処理などを行い、上りリンク信号の種類に応じてそれぞれ仕分けを行って、それぞれの信号をチャネル測定部１３、干渉測定部１５、復調部１６に出力する。
【００３１】
無線受信部１２からチャネル測定部１３に出力する信号は、主に、チャネル測定用の参照信号である。
チャネル測定部１３は、無線受信部１２から入力される信号（例えば、チャネル測定用の参照信号）に基づいて、周波数領域ごと（例えば、連続するＲＢごと）に受信電力を計算し、その結果（チャネルの状況の情報）をスケジューリング部１４に出力する。
スケジューリング部１４は、チャネル測定部１３から入力される情報により特定されるチャネルの状況（例えば、受信電力を含む）に応じて周波数スケジューリングを実施し、移動局ごとにＲＢの割り当てを行う。そして、スケジューリング部１４は、ＲＢの割り当ての結果の情報と、算出した信号電力（例えば、受信電力）の情報を、ＭＣＳ決定部１８に出力する。
【００３２】
無線受信部１２から干渉測定部１５に出力する信号は、主に、復調用の参照信号である。
干渉測定部１５は、無線受信部１２からの出力信号のうちで復調用の参照信号を利用して干渉を測定する。
ここで、干渉測定部１５により計算する干渉とは、システム周波数帯および特定の時間範囲で平均した平均干渉電力である。
さらに、干渉測定部１５は、周波数領域ごと（例えば、連続する複数のＲＢごと）に干渉電力を算出し、その分散を計算する。なお、分散の計算は、例えば、１処理時間（ＬＴＥの場合は１ｍｓ）で実施してもよく、または、複数の処理時間で実施してもよい。
干渉測定部１５は、計算した平均干渉電力の情報をＭＣＳ決定部１８に出力し、計算した干渉電力の分散の情報をＳＩＮＲオフセット算出部１７に出力する。
【００３３】
無線受信部１２から復調部１６に出力する信号は、主に、データチャネルの信号である。
復調部１６は、無線受信部１２から入力される信号に基づいて、移動局から送信されるデータチャネルの信号の復調と誤り検出を実施する。そして、復調部１６は、復調したデータとともに、そのデータに誤りが検出されたか否かを示すＡＣＫまたはＮＡＣＫの情報を上位レイヤに出力する。また、このＡＣＫまたはＮＡＣＫの情報は、ＳＩＮＲオフセット算出部１７にも出力される。
ここで、データに誤りが検出されなかった場合にはＡＣＫが出力され、データに誤りが検出された場合にはＮＡＣＫが出力される。
【００３４】
ＳＩＮＲオフセット算出部１７は、干渉測定部１５から出力される干渉電力の分散の情報と、復調部１６から出力されるＡＣＫまたはＮＡＣＫの情報を入力して、ＯＬＬＡに基づくＳＩＮＲのオフセット値ＳＩＮＲｏｆｆｓｅｔを計算する。そして、ＳＩＮＲオフセット算出部１７は、計算したＳＩＮＲのオフセット値ＳＩＮＲｏｆｆｓｅｔをＭＣＳ決定部１８に出力する。
【００３５】
ここで、ＳＩＮＲオフセット算出部１７においてＳＩＮＲのオフセット値ＳＩＮＲｏｆｆｓｅｔを決定する手順に適用することが可能な例（第１の例〜第４の例）を示す。なお、干渉電力の分散をσ２とする。
【００３６】
＜ＳＩＮＲのオフセット値を決定する手順の第１の例＞は、式（２−１）および式（２−２）で表される。
式（２−１）および式（２−２）では、ＳＩＮＲオフセット算出部１７にＡＣＫの情報が入力された場合には式（２−１）に示される演算が行われ、ＳＩＮＲオフセット算出部１７にＮＡＣＫの情報が入力された場合には式（２−２）に示される演算が行われる。
ここで、式（２−１）および式（２−２）では、左辺のＳＩＮＲｏｆｆｓｅｔは演算後（変更後）の値を表し、右辺のＳＩＮＲｏｆｆｓｅｔは演算前（変更前）の現在における値を表す。
【００３７】
【数２】
2013201575.tif 000004
【００３８】
式（２−１）および式（２−２）において、ＳＩＮＲｏｆｆｓｅｔはＭＣＳを選択する際に利用するＳＩＮＲを求めるために使用するオフセット値である。そして、測定されたＳＩＮＲであるＳＩＮＲｍｅａｓｕｒｅｄとＳＩＮＲｏｆｆｓｅｔとを加算した結果（ＳＩＮＲｍｅａｓｕｒｅｄ＋ＳＩＮＲｏｆｆｓｅｔ）の値を利用してＭＣＳを決定する。
また、式（２−１）および式（２−２）において、ＳｔｅｐＳｉｚｅはＯＬＬＡのパラメータであり、ＢＬＥＲｔａｒｇｅｔはターゲットとするＢＬＥＲである。
また、式（２−１）および式（２−２）において、「＊」や「・」は乗算を表す。
【００３９】
ここで、式（２−１）および式（２−２）では、式（１−１）および式（１−２）に対して、ＳｔｅｐＳｉｚｅに干渉電力の分散σ２が乗算された演算式となっている。
【００４０】
＜ＳＩＮＲのオフセット値を決定する手順の第２の例＞は、式（３−１）および式（３−２）で表される。
式（３−１）および式（３−２）では、式（２−１）および式（２−２）に対して、式（２−１）および式（２−２）における（σ２・ＳｔｅｐＳｉｚｅ）の部分が、（α・σ２＋ＳｔｅｐＳｉｚｅ）へ置き換えられている。
ここで、式（３−１）および式（３−２）において、αは、干渉電力の分散σ２に対して適用する係数であり、例えば、正の値であり、様々な値が設定されてもよい。
【００４１】
【数３】
2013201575.tif 000005
【００４２】
＜ＳＩＮＲのオフセット値を決定する手順の第３の例＞は、上記した＜ＳＩＮＲのオフセット値を決定する手順の第１の例＞に係る式（２−１）および式（２−２）において、干渉電力の分散σ２の代わりに、干渉電力の標準偏差σを用いるものである。
この場合、干渉電力の標準偏差σは、例えば、干渉測定部１５により計算されてＳＩＮＲオフセット算出部１７に出力されてもよく、または、ＳＩＮＲオフセット算出部１７により計算されてもよい。
【００４３】
＜ＳＩＮＲのオフセット値を決定する手順の第４の例＞は、上記した＜ＳＩＮＲのオフセット値を決定する手順の第２の例＞に係る式（３−１）および式（３−２）において、干渉電力の分散σ２の代わりに、干渉電力の標準偏差σを用いるものである。
この場合、干渉電力の標準偏差σは、例えば、干渉測定部１５により計算されてＳＩＮＲオフセット算出部１７に出力されてもよく、または、ＳＩＮＲオフセット算出部１７により計算されてもよい。
【００４４】
ここで、上記した＜ＳＩＮＲのオフセット値を決定する手順の第１の例＞〜＜ＳＩＮＲのオフセット値を決定する手順の第４の例＞では、干渉電力の分散σ２（または、干渉電力の標準偏差σ）が大きい場合にステップサイズ（ＳｔｅｐＳｉｚｅ）の項を大きく設定し、干渉電力の分散σ２（または、干渉電力の標準偏差σ）が小さい場合にステップサイズ（ＳｔｅｐＳｉｚｅ）の項を小さく設定することである。これにより、干渉の変動が激しい場合には、それに追従するようにＯＬＬＡを動作させることができ、また、干渉の変動が小さい場合には、最適なＭＣＳに合わせられるように緩やかにＯＬＬＡによる制御を実施することができる。
【００４５】
ＭＣＳ決定部１８は、スケジューリング部１４から出力されるＲＢの割り当ての結果の情報および信号電力の情報と、干渉測定部１５から出力される平均干渉電力の情報と、ＳＩＮＲオフセット算出部１７から出力されるＳＩＮＲのオフセット値ＳＩＮＲｏｆｆｓｅｔの情報を入力して、移動局から送信される上りリンクの信号に適用するＭＣＳを決定する。そして、ＭＣＳ決定部１８は、決定したＭＣＳの情報を制御信号生成部１９に出力する。
【００４６】
本実施形態では、基地局１は、ＭＣＳ決定部１８などの記憶部（例えば、メモリ）に、ターゲットとするＢＬＥＲを達成するＳＩＮＲとＭＣＳとの対応表の情報を保持（記憶）している。そして、ＭＣＳ決定部１８は、ＭＣＳを参照するためのＳＩＮＲであるＳＩＮＲｒｅｆを式（４）により計算して、計算したＳＩＮＲｒｅｆに対応するＭＣＳを前記対応表に基づいて決定する。
【００４７】
【数４】
2013201575.tif 000006
【００４８】
ここで、式（４）において、ノイズ電力は、例えば、任意の方法で計算または検出などされてもよく、または、あらかじめ固定値などに設定されていてもよい。
【００４９】
制御信号生成部１９は、ＭＣＳ決定部１８から入力されるＭＣＳの情報に基づいて、移動局に対して上りリンクの送信を指示する制御信号を生成し、生成した制御信号を下りリンク信号生成部２０に出力する。
この制御信号には、ＭＣＳ決定部１８により算出（決定）したＭＣＳの情報が含まれる。制
【００５０】
下りリンク信号生成部２０は、制御信号生成部１９から制御信号を入力するとともに、その他の下りリンク信号（下り送信データ）を入力し、これらに基づいて、下りリンクの信号を生成して、生成した下りリンクの信号を無線送信部２１に出力する。
無線送信部２１は、下りリンク信号生成部２０から入力される下りリンクの信号について、変調、アップコンバートなどの処理を施した後に、その処理の結果の信号をアンテナ１１に出力する。
この信号は、アンテナ１１を介して移動局に対して無線により送信される。
【００５１】
以上のように、本実施形態に係る移動無線通信システムでは、移動局から送信される上りリンク信号を受信し、当該上りリンク信号のＭＣＳを決定する基地局１において、移動局から送信される上りリンク信号からチャネルを測定するとともに信号電力を測定するチャネル測定部１３と、測定されたチャネルの情報を利用してリソースの割り当てを行うスケジューリング部１４と、移動局から送信される上りリンク信号から平均干渉電力と干渉電力の分散（または、標準偏差）を測定する干渉測定部１５と、移動局から送信される上りリンク信号を復調して正しく受信されていればＡＣＫを出力する一方で誤りが検出されればＮＡＣＫを出力する復調部１６と、前記した干渉電力の分散（または、標準偏差）、前記したＡＣＫまたはＮＡＣＫに応じてＳＩＮＲのオフセット値を算出するＳＩＮＲオフセット算出部１７と、前記した信号電力と前記した平均干渉電力と前記したＳＩＮＲのオフセット値を利用してＭＣＳを決定するＭＣＳ決定部１８と、を備える。
【００５２】
また、本実施形態に係る移動無線通信システムにおける基地局１では、ＳＩＮＲオフセット算出部１７は、ＡＣＫのときに、前記した干渉電力の分散（または、標準偏差）が大きい場合には大きいＳＩＮＲのオフセット値を算出して出力する一方、前記した干渉電力の分散（または、標準偏差）が小さい場合には小さいＳＩＮＲのオフセット値を算出して出力する。
逆に、本実施形態に係る移動無線通信システムにおける基地局１では、ＳＩＮＲオフセット算出部１７は、ＮＡＣＫのときに、前記した干渉電力の分散（または、標準偏差）が大きい場合には小さいＳＩＮＲのオフセット値を算出して出力する一方、前記した干渉電力の分散（または、標準偏差）が小さい場合には大きいＳＩＮＲのオフセット値を算出して出力する。
【００５３】
本実施形態に係る移動無線通信システムにおける基地局１によると、例えば、ＨｅｔＮｅｔにおける上りリンクのように干渉の大きさが時間、周波数領域で大きく変動（変更）するような場合においても、ＯＬＬＡにより適切なＭＣＳを設定することができ、不必要に低いＭＣＳが設定されるという問題を緩和することができる。
また、本実施形態に係る移動無線通信システムにおける基地局１によると、例えば、ＦＴＰモデルなどのトラフィックにより、ＨｅｔＮｅｔの上りリンクで干渉電力が安定するようなケースが発生した場合においても、ＯＬＬＡにより緩やかにＭＣＳを合わせこむことができ、スループットを向上させることができる。
【００５４】
このように、本実施形態に係る移動無線通信システムにおける基地局１では、干渉量に応じた上りリンクのリンクアダプテーションにより、干渉の状況に合わせたＯＬＬＡのパラメータの最適化が（例えば、自動的に）適用され、その結果、スループットを向上させることができる。これにより、ＨｅｔＮｅｔなどにおいて干渉の状況に応じてＯＬＬＡを適切に動作させることができる。
【００５５】
［第２実施形態］
本実施形態に係る移動無線通信システムは、概略的には、図２に示されるものと同様なものである。
また、本実施形態に係る基地局装置１の概略的な構成は、第１実施形態に係る図１に示されるものと同様である。
このため、本実施形態では、図１に示されるものと同じ符号を用いて説明する。
【００５６】
本実施形態に係る基地局装置１において行われる動作は、第１実施形態に係る基地局装置１において行われる動作と比べて、ＳＩＮＲオフセット算出部１７によりＳＩＮＲのオフセット値ＳＩＮＲｏｆｆｓｅｔを計算する手法が異なっている点を除いては、同様である。
以下では、主に、第１実施形態の場合とは異なる点について説明する。
【００５７】
第１実施形態の場合とは異なる点として、ＳＩＮＲオフセット算出部１７においてＳＩＮＲのオフセット値ＳＩＮＲｏｆｆｓｅｔを決定する手順に適用することが可能な例（第５の例）を示す。なお、干渉電力の分散をσ２とする。
【００５８】
＜ＳＩＮＲのオフセット値を決定する手順の第５の例＞は、式（５−１）および式（５−２）と、式（６−１）および式（６−２）で表される。
式（５−１）および式（５−２）では、干渉電力の分散σ２があらかじめ定められた閾値Ｔｈｒｅｓｈｏｌｄより大きい場合には、式（５−１）に示されるように、ＳｔｅｐＳｉｚｅ＝ａとする一方、干渉電力の分散σ２があらかじめ定められた前記閾値Ｔｈｒｅｓｈｏｌｄ以下である場合には、式（５−２）に示されるように、ＳｔｅｐＳｉｚｅ＝ｂとする。
【００５９】
【数５】
2013201575.tif 000007
【００６０】
【数６】
2013201575.tif 000008
【００６１】
ここで、前記閾値Ｔｈｒｅｓｈｏｌｄは、干渉電力の分散σ２の大きさに応じてＳｔｅｐＳｉｚｅの値を切り替えるための閾値である。
前記閾値Ｔｈｒｅｓｈｏｌｄとしては、様々な値が用いられてもよい。
このような閾値を利用した制御を行うことにより、ＳＩＮＲのオフセット値の計算を簡単化することができる。
【００６２】
また、例えば、ａおよびｂは正の値であり、ａの値の方がｂの値より大きい（つまり、ａ＞ｂ）。
なお、例えば、ｂが０である構成を用いることもできる。つまり、ＯＬＬＡを利用することによりスループットが劣化するような場合では、Ｓｔｅｐｓｉｚｅ＝０とすることで、ＯＬＬＡの機能を実質無効とすることもできる。
また、本実施形態におけるａの値およびｂの値に限られず、ａおよびｂはそれぞれ任意の値であっても、式（５−１）および式（５−２）と式（６−１）および式（６−２）は成り立つ。さらに、本手順では分散の大きさに応じて２通りの条件が与えられることを説明したが、３通り以上の条件を与えＳＩＮＲのオフセット値ＳＩＮＲｏｆｆｓｅｔを計算することも可能である。
【００６３】
式（６−１）および式（６−２）では、ＳＩＮＲオフセット算出部１７にＡＣＫの情報が入力された場合には式（６−１）に示される演算が行われ、ＳＩＮＲオフセット算出部１７にＮＡＣＫの情報が入力された場合には式（６−２）に示される演算が行われる。
ここで、式（６−１）および式（６−２）では、左辺のＳＩＮＲｏｆｆｓｅｔは演算後（変更後）の値を表し、右辺のＳＩＮＲｏｆｆｓｅｔは演算前（変更前）の現在における値を表す。
【００６４】
式（６−１）および式（６−２）において、ＳＩＮＲｏｆｆｓｅｔはＭＣＳを選択する際に利用するＳＩＮＲを求めるために使用するオフセット値である。そして、測定されたＳＩＮＲであるＳＩＮＲｍｅａｓｕｒｅｄとＳＩＮＲｏｆｆｓｅｔとを加算した結果（ＳＩＮＲｍｅａｓｕｒｅｄ＋ＳＩＮＲｏｆｆｓｅｔ）の値を利用してＭＣＳを決定する。
また、式（６−１）および式（６−２）において、ＳｔｅｐＳｉｚｅはＯＬＬＡのパラメータであり、ＢＬＥＲｔａｒｇｅｔはターゲットとするＢＬＥＲである。
また、式（６−１）および式（６−２）において、「＊」は乗算を表す。
【００６５】
以上のように、本実施形態に係る移動無線通信システムにおける基地局１では、概略的には、第１実施形態の場合と同様な効果を得ることができる。
また、本実施形態に係る移動無線通信システムにおける基地局１では、式（５−１）および式（５−２）に示されるように閾値を利用した制御を行うことにより、ＳＩＮＲのオフセット値の計算を簡単化することができる。
【００６６】
［以上の実施形態に係る構成例］
以上の実施形態に係る構成例を示す。
以上の実施形態に係る基地局１は、以下に示すような通信制御装置の機能を有する。
（構成例１：図１を参照）移動局からの信号に基づいて干渉電力の分散（または、標準偏差）を測定する干渉測定部１５と、前記移動局からの信号を復調して誤りが非検出であった（つまりり、検出されなかった）場合にはＡＣＫを出力する一方で誤りが検出された場合にはＮＡＣＫを出力する復調部１６と、前記干渉測定部１５により測定される前記干渉電力の分散（または、標準偏差）と、前記復調部１６から出力される前記ＡＣＫまたはＮＡＣＫに基づいて、ＳＩＮＲのオフセット値を算出するＳＩＮＲオフセット算出部１７と、少なくとも前記ＳＩＮＲオフセット算出部１７により算出されるＳＩＮＲのオフセット値に基づいて、ＭＣＳを決定するＭＣＳ決定部１８と、を備えることを特徴とする通信制御装置、である。
ここで、分散と標準偏差は１対１で対応するため、任意のところで、任意の方（分散、または、標準偏差のうちの一方）が用いられてもよい。
【００６７】
（構成例２：図１、式（４）を参照）さらに、前記移動局からの信号に基づいてチャネルを測定するとともに信号電力を測定するチャネル測定部１３と、前記チャネル測定部１３により測定されたチャネルの情報に基づいてリソースの割り当てを行うスケジューリング部１４と、を備え、前記干渉測定部１５は、前記移動局からの信号に基づいて、平均干渉電力を測定するとともに、前記干渉電力の分散（または、標準偏差）を測定し、前記ＭＣＳ決定部１８は、前記チャネル測定部１３により測定される前記信号電力と、前記干渉測定部１５により測定される前記平均干渉電力と、前記ＳＩＮＲオフセット算出部１７により算出されるＳＩＮＲのオフセット値に基づいて、ＭＣＳを決定する、ことを特徴とする（構成例１）に記載の通信制御装置、である。
【００６８】
（構成例３：式（２−１）〜式（２−２）、式（３−１）〜式（３−２）、式（５−１）〜式（５−２）、式（６−１）〜式（６−２）を参照）前記ＳＩＮＲオフセット算出部１７は、前記復調部１６からＡＣＫが出力されるときに、前記干渉測定部１５により測定される前記干渉電力の分散（または、標準偏差）が大きい場合には大きいＳＩＮＲのオフセット値を算出する一方、当該干渉電力の分散（または、標準偏差）が小さい場合には小さいＳＩＮＲのオフセット値を算出し、前記ＳＩＮＲオフセット算出部１７は、前記復調部１６からＮＡＣＫが出力されるときに、前記干渉測定部１５により測定される前記干渉電力の分散（または、標準偏差）が大きい場合には小さいＳＩＮＲのオフセット値を算出する一方、当該干渉電力の分散（または、標準偏差）が小さい場合には大きいＳＩＮＲのオフセット値を算出する、ことを特徴とする（構成例１）または（構成例２）に記載の通信制御装置、である。
【００６９】
（構成例４：式（２−１）〜式（２−２）、式（３−１）〜式（３−２）を参照）前記ＳＩＮＲオフセット算出部１７は、前記干渉測定部１５により測定される前記干渉電力の分散（または、標準偏差）をパラメータとして含み、当該干渉電力の分散（または、標準偏差）が大きいほどステップサイズ（ＳｔｅｐＳｉｚｅ）の項の絶対値が大きくなる式を用いて、ＳＩＮＲのオフセット値を算出する、ことを特徴とする（構成例１）から（構成例３）のいずれか１つに記載の通信制御装置、である。
ここで、式（２−１）〜式（２−２）においては、ステップサイズ（ＳｔｅｐＳｉｚｅ）の項は、（σ２・ＳｔｅｐＳｉｚｅ）である。
また、式（３−１）〜式（３−２）においては、ステップサイズ（ＳｔｅｐＳｉｚｅ）の項は、（α・σ２＋ＳｔｅｐＳｉｚｅ）である。
【００７０】
（構成例５：式（５−１）〜式（５−２）、式（６−１）〜式（６−２）を参照）前記ＳＩＮＲオフセット算出部１７は、前記干渉測定部１５により測定される前記干渉電力の分散（または、標準偏差）があらかじめ定められた閾値より大きいときの方が当該閾値以下であるときよりもステップサイズ（ＳｔｅｐＳｉｚｅ）の絶対値が大きくなるように当該ステップサイズを設定し、当該ステップサイズをパラメータとして含む式を用いて、ＳＩＮＲのオフセット値を算出する、ことを特徴とする（構成例１）から（構成例３）のいずれか１つに記載の通信制御装置、である。
ここで、式（５−１）〜式（５−２）においては、前記した閾値として、Ｔｈｒｅｓｈｏｌｄが用いられている。
【００７１】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００７２】
また、以上に示した実施形態に係る各装置の機能（例えば、基地局（基地局装置）１などの機能）を実現するためのプログラムをコンピュータ読み取り可能な記録媒体に記録して、この記録媒体に記録されたプログラムをコンピュータシステムに読み込ませ、実行することにより、処理を行ってもよい。
【００７３】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【００７４】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００７５】
１…基地局（基地局装置）、１１…アンテナ、１２…無線受信部、１３…チャネル測定部、１４…スケジューリング部、１５…干渉測定部、１６…復調部、１７…ＳＩＮＲオフセット算出部、１８…ＭＣＳ決定部、１９…制御信号生成部、２０…下りリンク信号生成部、２１…無線送信部、１０１…マクロ基地局、１１１、１１２…ピコ基地局、１２１〜１２３…移動局（移動局装置）、２０１、２１１、２１２…通信エリア
【図１】
2013201575.tif 000009
【図２】
2013201575.tif 000010